(57)【要約】【課題】入退出時の快適性表示と省エネ成果表示で省エネへの貢献度を知り、省エネ意識高揚と省エネ実績を同時に実現可能な居室環境制御システムを得る。【解決手段】入室者のＩＤ情報と居室者個人情報から入室者制御設定値補正情報ＤＢ２０２を作成し、中央監視制御サーバ２の制御設定値２０４と前記入室者制御設定値補正情報ＤＢ２０２とから補正後制御設定値２０５を作成し、着衣量設定値２０７と前記補正後制御設定値２０５から、快適空調制御処理２０６にて空調監視制御情報ＤＢ２０８を作成し、前記空調監視制御ＤＢ２０８を用いて空調制御装置２Ａにより空調設備２Ａ１の空調監視制御処理２０９を行い、環境情報は、前記空調監視制御情報ＤＢ２０８から、電力情報は、電力監視制御情報ＤＢ２０Ｃから、入室者情報は、前記入室者制御設定値補正情報ＤＢ２０２から収集し、少なくとも外気温度、室内温度、室内湿度、電力量、電力量トレンド値の内容を、環境・省エネ意識高揚表示器１Ａ１１に表示し、居室者全員の環境・省エネ意識の高揚を図る。【選択図】図１
2014231980.tif 000002
【特許請求の範囲】
【請求項１】
居室への入退出を把握する入退出管理サーバと、
入退出管理装置と、
遠方から各設備の運転稼動状況を把握し各設備に必要な制御を行う中央監視制御サーバと、
各居室に設けられた空調設備と照明設備とビル施設などの施設全体に電力を供給する受変電設備と、
居室者全員の個人情報や環境に対する体感性などの表示及び設定が可能な居室者管理サーバと、
居室者パソコンとからなるシステムであって、
前記入退出管理装置に接続され居室の出入り口に設けられた入退出セキュリティカードリーダで入室者のＩＤ情報を読み取り、前記入退出管理サーバの構成要素であるセキュリティカード入力処理にて前記入室者のＩＤ情報をカードリーダＩＤ情報ＤＢに格納し、前記中央監視制御サーバの構成要素である入室者制御設定値補正情報処理にて、前記入室者のＩＤ情報を含めた入室者全員のＩＤ情報を中央監視制御サーバの構成要素である入室者制御設定値補正情報ＤＢに格納し、前記居室者管理サーバの構成要素である居室者データ処理にて、居室者個人情報ＤＢから前記居室者管理サーバの構成要素である居住者個人分析情報ＤＢに前記入室者制御設定値補正処理に必要な５段階データを格納し、前記中央監視制御サーバの構成要素である制御設定値補正処理にて、前記入室者制御設定値補正情報ＤＢと制御設定値から、補正後制御設定値を演算し、補正後制御設定値として格納し、前記中央監視制御サーバの快適空調制御処理にて、前記補正後制御設定値と、前記中央監視制御サーバにあらかじめ設定された着衣量設定値とから、快適空調制御に必要な情報を空調監視制御情報ＤＢに格納し、空調制御処理にて、前記空調監視制御情報ＤＢから、空調制御に必要な各種設定値データを空調制御装置に与え、前記空調制御装置は少なくとも外気温、室温、壁温、湿度、日照、風雨の環境データを空調計器・センサから入力し、前記環境データにより、空調設備の制御を行い、入退出管理サーバの環境・省エネ意識高揚表示情報収集処理にて、少なくとも外気温度、室内温度、室内湿度の環境情報を、前記中央監視制御サーバの空調監視制御情報ＤＢから前記入退出管理サーバの環境・省エネ情報ＤＢに格納し、少なくとも電力量、電力量トレンド値の電力情報は、前記中央監視制御サーバの電力監視制御情報ＤＢから前記入退出管理サーバの環境・省エネ情報ＤＢに格納し、居室者の入室者情報は、前記中央監視制御サーバの入室者制御設定値補正情報ＤＢから前記入退出管理サーバの環境・省エネ情報ＤＢに格納し、前記入退出管理サーバの環境・省エネ情報表示処理にて、入室者へ環境・省エネ意識の高揚に繋がる、環境・省エネ表示内容に記載の少なくとも外気温度、室内温度、室内湿度、電力量、電力量トレンド値の内容を、前記環境・省エネ情報ＤＢの情報から、前記入退出管理装置に接続された入退出セキュリティカードリーダの環境・省エネ意識高揚表示器に表示することを特徴とする居室者の快適性を考慮した省エネシステム。
【請求項２】
請求項１の居室者の快適性を考慮した省エネシステムにおいて、
入退出管理サーバのセキュリティカード入力処理にて入室者のＩＤ情報をカードリーダＩＤ情報ＤＢに格納し、前記入室者のＩＤ情報により、あらかじめ設定された居室者管理サーバの居室者個人情報ＤＢの入室者体型画像データと、居室への入室の際に入退出管理サーバの入室者画像処理にて入退出管理装置に接続されたカメラで撮像された画像をＩＤ情報付き体型画像データとして入室者画像ＤＢに格納し、前記入室時のＩＤ情報データ付きの体型画像データと、前記あらかじめに設定された居室者管理サーバの居室者個人情報ＤＢの入室者体型画像データとから、居室者管理サーバの入室者着衣量演算にて実際に入室した居室者の着衣量を演算し、中央監視制御サーバの読込着衣量として格納し、中央監視制御サーバの着衣量補正処理にて、中央監視サーバにあらかじめ設定された着衣量設定の補正を行い、補正後着衣量を演算し、快適空調制御処理で、前記補正後制御設定値と前記補正後着衣量により、快適空調制御に必要な情報を空調監視制御情報ＤＢに格納し、空調制御処理にて、前記空調監視制御情報ＤＢから、空調制御に必要な各種設定値データを空調制御装置に与え、前記空調制御装置は少なくとも外気温、室温、壁温、湿度、日照、風雨のデータを空調計器・センサから入力し、前記外気温などの環境情報により、空調設備の制御を行う機能を有する事を特徴とする居室者の快適性を考慮した省エネシステム。
【請求項３】
請求項２の居室者の快適性を考慮した省エネシステムにおいて、
入退出管理サーバの入室者位置情報処理にて入退出管理装置に接続されたセンサからの入室者の位置情報信号と、入退出管理装置に接続されたカメラで撮像した入室者の居室内画像を格納した入室者画像情報ＤＢとにより、入室者位置情報処理にて入室者位置情報ＤＢに入室者の居室内のおおまかな位置を格納し、中央監視制御サーバの照明監視制御処理にて、前記入室者位置情報ＤＢで室内の入室者が居ない場所の照明を減光又は消灯させる情報を照明監視制御装置に与え、照明制御装置に接続された照明設備計器・センサなどの信号情報から、最低限必要な照度を確保する制御を行う機能を有する事を特徴とする居室者の快適性を考慮した省エネシステム。
【請求項４】
請求項３の居室者の快適性を考慮した省エネシステムにおいて、
入室者管理サーバの居室者データ処理にて、少なくとも居室者パソコンや居室者携帯端末で、少なくとも体感、寒暖、湿り気、風の快適性に関するアンケート入力情報を５段階評価にて居室者環境体感情報ＤＢに格納し、一方、前記居室者パソコンや居室者携帯端末などで、少なくとも体感、要望、意見、クレーム、省エネ意識、提案、口コミのテキストベースのツイート情報を５段階評価にて居室者省エネ意識補完情報ＤＢに格納し、中央監視制御サーバの入室者制御設定値補正情報処理にて、前記居室者個人分析情報ＤＢの５段階データと、前記居室者環境体感情報ＤＢの５段階評価データと、前記居室者省エネ意識補完情報ＤＢの５段階データと、入退出管理サーバのカードリーダＩＤ情報ＤＢの入室者全員のＩＤ情報により、制御設定値補正処理に必要なデータを入室者制御設定値補正情報ＤＢに格納し、制御設定値補正処理にて入室者制御情報設定値補正情報ＤＢの情報で制御設定値を補正演算し、補正後制御設定値に格納し、快適空調制御処理にて、前記補正後制御設定値と、前記補正後着衣量により、快適空調制御処理に必要な設定データを空調監視制御情報ＤＢに格納し、空調監視制御処理にて、前記空調監視制御情報ＤＢから必要な設定値データを空調制御装置に与え、前記空調制御装置は少なくとも外気温、室温、壁温、湿度、日照、風雨のデータを空調計器・センサから入力し、前記環境情報により、空調設備の制御を行う機能を有し、入退出監視サーバの環境・省エネ意識高揚表示情報収集処理にて、少なくとも外気温度、室内温度、室内湿度の環境情報は、前記中央監視サーバの空調監視制御情報ＤＢから前記入退出管理サーバの環境・省エネ情報ＤＢに格納し、少なくとも電力量、電力量トレンド値の電力情報は、前記中央監視サーバの電力監視制御情報ＤＢから前記入退出管理サーバの環境・省エネ情報ＤＢに格納し、入室者情報、快適性と省エネへの意識などの情報は、前記中央監視サーバの入室者制御設定値補正情報ＤＢから、前記入退出管理サーバの環境・省エネ情報ＤＢに格納し、入退出管理サーバの環境・省エネ情報表示処理にて、入室者へ環境・省エネ意識の高揚を促す、環境・省エネ表示内容に記載の少なくとも外気温度、室内温度、室内湿度、電力量、電力量トレンド値の内容を、前記環境・省エネ情報ＤＢの情報から、入退出管理装置に接続された入退出セキュリティカードリーダの環境・省エネ意識高揚表示器に表示し、居室者全員の環境・省エネ意識の高揚を図ることを特徴とする居室者の快適性を考慮した省エネシステム。
【発明の詳細な説明】
【技術分野】
【０００１】  本発明は、ビル・施設などの、空調、照明監視制御システムに係わり、居室者が居室に入退出する際に、アンケートやツイートなどで入力した居室者各個人の快適性の体感性と省エネへの対応の結果を入退出セキュリティカードリーダの表示器に表示し、さらに、そのデータで、快適空調制御の設定値を補正し、各個人により居室環境の体感性の違いを制御設定値に反映する事で、各個人が体感する快適性と居室の省エネをバラス良く実現できる居室者の快適性を考慮した省エネシステムに関する。
【背景技術】
【０００２】  ビル・施設などの空調、照明監視制御システムでは、夏と冬の違いはあるが、あらかじめ決められた設定温度、湿度、風量、照度などを決めて、空調制御システムによる温度、湿度、風量などのコントロールや、照明制御システムによる照度などをコントロールしていた。【０００３】  最近の空調、照明監視制御システムでは、制御システムの設定値を、着衣量設定値や輻射熱計測値などで補正する快適空調制御が採用されている。【０００４】  しかしながら、環境への体感性は、男性と女性で異なり、身長、体重、体脂肪率や、個人固有の暑がり、寒がなどで異なる場合が多く、同じ温度、湿度、風量でも、快適と感じる人、暑いと感じる人、寒いと感じる人がおり、快適空調制御システムとは言いがたい。【０００５】  例えば、設備の消費エネルギーを抑制しつつ、多くの個人にとって快適な室内環境を提供することができる設備運用システムが開示されている（例えば、特許文献１参照）。
【先行技術文献】
【特許文献】
【０００６】
【特許文献１】特開２０１０−２４９４５４号公報
【発明の概要】
【発明が解決しようとする課題】
【０００７】  しかしながら、特許文献１に開示された、設備運用システムでは、外部から入手した気象データと、利用者による設備の運用履歴及び入室者のカメラ映像のみによる着衣量の想定しかなく、利用者全員の居室に入室している際のアンケートやツイートなどの実際の体感による制御設定値の補正や、現在入室している入室者のあらかじめ設定された着衣なしの体型と、入室者の着衣画像の差による正確な着衣量の演算もなく、また、居室に入いる際のセキュリティカードリーダに現在の電力量や昨日の電力量、本日の電力量トレンド値、入室者のアンケートデータ、ツイートデータのよる省エネへの意識などを見て環境への配慮が必要な事を認識してもらう表示もないため、入室者の体感と意識を考慮して設備を制御する設定値の補正を行うことが難しいという問題がある。【０００８】  本発明は、上記のような課題を解決するためになされたもので、入室者の実際の体感データを踏まえた情報で設備の運用を行う事で、居住者の快適性と設備の省エネを同時に実現させ、バランスの良い居室環境制御システムを得ることを目的とする。
【課題を解決するための手段】
【０００９】  上記目的を達成するために、本発明の居室者の快適性を考慮した省エネシステムは、居室への入退出を把握する入退出管理サーバと、入退出管理装置と、遠方から各設備の運転稼動状況を把握し各設備に必要な制御を行う中央監視制御サーバと、各居室に設けられた空調設備と照明設備とビル施設などの施設全体に電力を供給する受変電設備と、居室者全員の個人情報や環境に対する体感性などの表示及び設定が可能な居室者管理サーバと、居室者パソコンとからなるシステムであって、前記入退出管理装置に接続され居室の出入り口に設けられた入退出セキュリティカードリーダで入室者のＩＤ情報を読み取り、前記入退出管理サーバの構成要素であるセキュリティカード入力処理にて前記入室者のＩＤ情報をカードリーダＩＤ情報ＤＢに格納し、前記中央監視制御サーバの構成要素である入室者制御設定値補正情報処理にて、前記入室者のＩＤ情報を含めた入室者全員のＩＤ情報を中央監視制御サーバの構成要素である入室者制御設定値補正情報ＤＢに格納し、前記居室者管理サーバの構成要素である居室者データ処理にて、居室者個人情報ＤＢから前記居室者管理サーバの構成要素である居住者個人分析情報ＤＢに前記入室者制御設定値補正処理に必要な５段階データを格納し、前記中央監視制御サーバの構成要素である制御設定値補正処理にて、前記入室者制御設定値補正情報ＤＢと制御設定値から、補正後制御設定値を演算し、補正後制御設定値として格納し、前記中央監視制御サーバの快適空調制御処理にて、前記補正後制御設定値と、前記中央監視制御サーバにあらかじめ設定された着衣量設定値とから、快適空調制御に必要な情報を空調監視制御情報ＤＢに格納し、空調制御処理にて、前記空調監視制御情報ＤＢから、空調制御に必要な各種設定値データを空調制御装置に与え、前記空調制御装置は少なくとも外気温、室温、壁温、湿度、日照、風雨の環境データを空調計器・センサから入力し、前記環境データにより、空調設備の制御を行い、入退出管理サーバの環境・省エネ意識高揚表示情報収集処理にて、少なくとも外気温度、室内温度、室内湿度の環境情報を、前記中央監視制御サーバの空調監視制御情報ＤＢから前記入退出管理サーバの環境・省エネ情報ＤＢに格納し、少なくとも電力量、電力量トレンド値の電力情報は、前記中央監視制御サーバの電力監視制御情報ＤＢから前記入退出管理サーバの環境・省エネ情報ＤＢに格納し、居室者の入室者情報は、前記中央監視制御サーバの入室者制御設定値補正情報ＤＢから前記入退出管理サーバの環境・省エネ情報ＤＢに格納し、前記入退出管理サーバの環境・省エネ情報表示処理にて、入室者へ環境・省エネ意識の高揚に繋がる、環境・省エネ表示内容に記載の少なくとも外気温度、室内温度、室内湿度、電力量、電力量トレンド値の内容を、前記環境・省エネ情報ＤＢの情報から、前記入退出管理装置に接続された入退出セキュリティカードリーダの環境・省エネ意識高揚表示器に表示することを特徴としている。
【発明の効果】
【００１０】  本発明に係わる居室者の快適性を考慮した省エネシステムによれば、居室者各個々人固有の体感性を踏まえた居室者の快適性の実感と、入退出セキュリティカードリーダに省エネ対応と成果を表示し、居室入退出時に居室者各個々人の省エネへの貢献度を確認してもらうことで、省エネ意識高揚を促し、空調や照明制御による実際の使用電力量削減などで得られる省エネの実績成果と、前記それぞれの実感と実績をバランスよく実現可能な居室環境制御システムを得ることができる。
【図面の簡単な説明】
【００１１】
【図１】本発明による居室者の快適性を考慮した省エネシステムの第１の実施形態の構成図。
【図２】本発明による居室者の快適性を考慮した省エネシステムの第２の実施形態の構成図。
【図３】本発明による居室者の快適性を考慮した省エネシステムの第３の実施形態の構成図。
【図４】本発明による居室者の快適性を考慮した省エネシステムの第４の実施形態の構成図。
【発明を実施するための形態】
【００１２】  以下、図面を参照して、本発明の実施例を説明する。
【００１３】  （第１の実施形態）
【００１４】  以下、本発明の第１の実施形態について、図１を参照して説明する。図１は、例えば、ビル・施設などにおいて、居室への入退出を管理する入退出管理サーバ１と設備の監視制御を行う中央監視制御サー２と居室者の個人データを管理する居室者管理サーバ３と居室者パソコン３Ａから構成される、居室者の快適性を考慮した省エネシステムの構成図である。
【００１５】  居室者の快適性を考慮した省エネシステムは、居室への入退出を把握する入退出管理サーバ１と、入退出管理装置１Ａと、居室のセキュリティを確保する入退出セキュリティカードリーダ１Ａ１と、居室の開錠及び施錠を行う電気錠１Ａ２と、人の居る居ないを判別するセンサ１Ａ３と、居室に入室時の撮像したり居室内の人の配置を撮像するカメラ１Ａ４と、遠方から各設備の運転稼動状況を把握し各設備に必要な制御を行う中央監視制御サーバ２と、各居室毎に設けられた居室の環境を制御する空調制御装置２Ａと、空調設備２Ａ１と、空調設備計器・センサ２Ａ２と、居室の照明を制御する照明制御装置２Ｂと、照明設備２Ｂ１と、照明設備計器・センサと２Ｂ２、ビル施設などの施設全体に電力を供給する受変電設備２Ｃ１と、受変電設備計器・センサ２Ｃ２と、居室者全員の個人情報や環境に対する体感性などの表示及び設定が可能な居室者管理サーバ３と、居室者の個人情報を表示及び設定する居室者パソコン２Ａとからなる。
【００１６】  次に、各部の構成について説明する。入退出管理サーバ１においては、入退出管理装置１Ａに接続された居室の出入り口に設けられた入退出セキュリティカードリータ１Ａ１から、入退出管理サーバ１のセキュリティカード入力処理１０１にて入室者のＩＤ情報をカードリーダＩＤ情報ＤＢ１０２に格納する。
【００１７】  また、中央監視制御サーバ２においては、入室者制御設定値補正情報処理２０１にて、前記入退出管理サーバ２のセキュリティカード入力処理１０１にてカードリーダＩＤ情報ＤＢ１０２に格納した入室者のＩＤ情報を含めた入室者全員のＩＤ情報と、居室者管理サーバ３の居室者データ処理３０３にて、あらかじめ設定されている居室者個人情報ＤＢ３０１の、入室者の個人情報から、中央監視制御サーバ２の制御設定値を補正するためのデータとして作成した、居室者全員の居室者個人分析情報ＤＢ３０２とから、前記中央監視制御サーバ２の入室者制御設定値補正情報処理２０１にて、制御設定値補正処理２０３に必要な入室者制御設定値補正情報ＤＢ２０２を作成する。
【００１８】  続いて、前記中央監視制御サーバ２の制御設定値補正処理２０３にて、前記入室者制御設定値補正情報ＤＢ２０２と制御設定値２０４から、補正後制御設定値２０５を演算する。
【００１９】  続いて、中央監視制御サーバ２の快適空調制御処理２０６にて、前記補正後制御設定値２０５と、前記中央監視制御サーバ２にあらかじめ設定された着衣量設定値２０７とから、快適空調制御に必要な情報を空調監視制御情報ＤＢ２０８に格納する。
【００２０】  続いて、空調制御処理２０９にて、前記空調監視制御情報ＤＢ２０８から、空調制御に必要な各種設定値データを空調制御装置２Ａに与え、前記空調制御装置２Ａは外気温、室温、壁温、湿度、日照、風雨などのデータを空調計器・センサ２Ａ２から入力し、前記外気温などの環境情報により、空調設備２Ａ１の制御を行うことで、居住者の快適性を考慮した設備の省エネが実現できる。
【００２１】  一方、入退出監視サーバ１の環境・省エネ意識高揚表示情報収集処理１０３にて、外気温度、室内温度、室内湿度などの環境情報を、前記中央監視制御サーバ２の空調監視制御情報ＤＢ２０８から前記入退出管理サーバ１の環境・省エネ情報ＤＢ１０４に格納する。
【００２２】  続いて、電力量、電力量トレンド値などの電力情報は、前記中央監視制御サーバ２の電力監視制御情報ＤＢ２０Ｃから前記入退出管理サーバ１の環境・省エネ情報ＤＢ１０４に格納する、
【００２３】  続いて、居室者数などの入室者情報は、前記中央監視制御サーバ２の入室者制御設定値補正情報ＤＢ２０２から前記入退出管理サーバ１の環境・省エネ情報ＤＢ１０４に格納する。
【００２４】  続いて、入退出管理サーバ１の環境・省エネ情報表示処理１０５にて、入室者へ環境・省エネ意識の高揚に繋がる、環境・省エネ表示内容１Ａ１２に記載の外気温度、室内温度、室内湿度、電力量、電力量トレンド値などの内容を、前記環境・省エネ情報ＤＢ１０４の情報から、入退出管理装置１Ａに接続された入退出セキュリティカードリーダ１Ａ１の環境・省エネ意識高揚表示器１Ａ１１に表示し、居室者全員の環境・省エネ意識の高揚を図ることができる。
【００２５】  （第２の実施形態）
以下、本発明の第２の実施形態について、図２を参照して説明する。図２は、例えば、ビル・施設などにおいて、居室への入退出を管理する入退出管理サーバ１と設備の監視制御を行う中央監視制御サー２と居室者の個人データを管理する居室者管理サーバ３とから構成される、居室者の快適性を考慮した省エネシステムの構成図で、実施例の各部について、図１に示す第１の実施形態の各部と同一部分は同じ番号を付し、その説明は省略する。
【００２６】  第２の実施形態が第１の実施形態と異なる点は、入退出管理装置１Ａに接続されたカメラ１Ａ４で撮像された入室者の実際の体型と居室者管理サーバにあらかじめ登録された入室者の着衣なしの体型データから、入室者の現在の着衣量を演算して、中央監視制御サーバ２にあらかじめ設定されている着衣量設定値２０７を補正する機能が付加されていることである。
【００２７】  第２の実施形態の各部の構成について説明する。入退出管理サーバ１のセキュリティカード入力処理１０１にて入室者のＩＤ情報をカードリーダＩＤ情報ＤＢ１０２に格納する。
【００２８】  続いて、前記入室者のＩＤ情報により、あらかじめ設定された居室者管理サーバ３の居室者個人情報ＤＢ３０２の入室者体型画像データと、居室への入室の際に入退出管理サーバ１の入室者画像処理１０６にて入退出管理装置１Ａに接続されたカメラ１Ａ４で撮像された画像をＩＤ情報付き体型画像データとして入室者画像ＤＢ１０７に格納する。
【００２９】  続いて、前記入室時のＩＤ情報データ付きの体型画像データと、前記あらかじめに設定された居室者管理サーバ３の居室者個人情報ＤＢ３０２の入室者体型画像データとにより入室者着衣量演算処理３０５にて現在の着衣量を演算し、中央監視制御サーバ２の読込着衣量２０Ｅに格納する。
【００３０】  続いて、中央監視制御サーバ２の着衣量補正処理２０Ｆにて、中央監視制御サーバ２にあらかじめ設定された着衣量設定２０７の補正を行い、補正着衣量を演算し、補正後着衣量２０Ｇに格納する。
【００３１】  続いて、快適空調制御処理２０６にて、請求項１で得られた補正後制御設定値２０５と前記補正後着衣量２０Ｇにより、快適空調制御処理２０６に必要な各種設定値情報を空調監視制御情報ＤＢ２０８に格納する。
【００３２】  続いて、空調制御処理２０９にて、前記空調監視制御情報ＤＢ２０８から、空調制御に必要な各種設定値データを空調制御装置２Ａに与え、前記空調制御装置２Ａは外気温、室温、壁温、湿度、日照、風雨などのデータを空調計器・センサ２Ａ２から入力し、前記外気温などの環境情報により、空調設備２Ａ１の制御を行うことで、居住者の快適性を考慮した設備の省エネが実現できる。
【００３３】  一方、入退出管理装置１Ａに接続された入退出セキュリティカードリーダ１Ａ１の環境・省エネ意識高揚表示器１Ａ１１への表示は、第１の実施形態と同じのため、説明は省く。
【００３４】  （第３の実施形態）
以下、本発明の第３の実施形態について、図３を参照して説明する。図３は、例えば、ビル・施設などにおいて、居室への入退出を管理する入退出管理サーバ１と設備の監視制御を行う中央監視制御サー２と居室者の個人データを管理する居室者管理サーバ３と居室者パソコン３Ａから構成される、居室者の快適性を考慮した省エネシステムの構成図で、実施例の各部について、図２に示す第２の実施形態の各部と同一部分は同じ番号を付し、その説明は省略する。
【００３５】  本第３の実施形態が第２の実施形態と異なる点は、入退出管理装置１Ａに接続されたカメラ１Ａ４で撮像された入室者の実際の画像と、入退出管理装置１Ａに接続されたセンサ１Ａ３の位置情報で、居室者のおおまかな居場所を把握でき、居室者が居ない場所の照明を減光または消灯する機能が付加されていることである。
【００３６】  第３の実施形態の各部の構成について説明する。入退出管理サーバ１の入室者位置情報処理１０８にて入退出管理装置１Ａに接続されたセンサ１Ａ３からの入室者の位置情報信号と、入退出管理装置１Ａに接続されたカメラ１Ａ４で撮像した入室者の居室内画像を格納した入室者画像情報ＤＢ１０７とにより、入室者位置情報ＤＢ１０９に入室者の居室内のおおまかな位置を格納する。
【００３７】  続いて、中央監視制御サーバ２の照明監視制御処理２０Ｂにて、前記入室者位置情報ＤＢ１０８で室内の入室者が居ない場所の照明を減光又は消灯させる情報を照明監視制御処理２０Ｂにて照明制御装置２Ｂに与え、照明制御装置２Ｂに接続された照度などの照明設備計器・センサ２Ｂ２などの信号情報から、照明制御装置２Ｂにて最低限必要な照度を確保する制御を行うことで、居住者の快適性を考慮した設備の省エネが実現できる。
【００３８】  一方、入退出管理装置１Ａに接続された入退出セキュリティカードリーダ１Ａ１の環境・省エネ意識高揚表示器１Ａ１１への表示は、第２の実施形態と同じのため、説明は省く。
【００３９】  （第４の実施形態）
以下、本発明の第４の実施形態について、図４を参照して説明する。図４は、例えば、ビル・施設などにおいて、居室への入退出を管理する入退出管理サーバ１と設備の監視制御を行う中央監視制御サー２と居室者の個人データを管理する居室者管理サーバ３と居室者パソコン３Ａと居室者携帯端末から構成される、居室者の快適性を考慮した省エネシステムの構成図で、実施例の各部について、図３に示す第３の実施形態の各部と同一部分は同じ番号を付し、その説明は省略する。
【００４０】  第４の実施形態が第３の実施形態と異なる点は、居室者が入室の際に体感した体感情報を、居室者サーバに接続された居室者パソコン３Ａや居室者携帯端末３Ｂから、５段階評価などのアンケート方式による入力や、テキストベースのツイート情報として入力し、そのデータから入室者が実際に体感した情報を居住者データ処理３０３にて、居室者環境体感情報ＤＢ３０７と居室者省エネ意識情報ＤＢ３０８に格納し、中央監視制御サーバ２の入室者制御設定値補正情報処理２０１にて、制御設定値補正処理２０３に必要な入室者制御設定値補正情報ＤＢ２０２に格納し、制御設定値補正処理２０３にて、あらかじめ設定された制御設定値２０４を補正し、快適空調制御処理２０６に必要な補正後設定値の演算を行うことである。
【００４１】  第４の実施形態の各部の構成について説明する。入居室者管理サーバ３の居室者データ処理３０３にて、居室者パソコン３Ａや居室者携帯端末３Ｂなどで、体感、寒暖、湿り気、風などの快適性に関するアンケート入力情報を５段階評価にて居室者環境体感情報ＤＢ３０７に格納する。
【００４２】  また、前記居室者パソコン３Ａや居室者携帯端末３Ｂなどで、体感、要望、意見、クレーム、省エネ意識、提案、口コミなどのテキストベースのツイート情報を５段階評価にて居室者省エネ意識補完情報ＤＢ３０８に格納し、中央監視制御サーバ２の入室者制御設定値補正情報処理２０１にて、第１の実施形態の居室者管理サーバ３の居室者個人分析情報ＤＢ３０２の５段階データと、前記居室者環境体感情報ＤＢ３０７の５段階評価データと、前記居室者省エネ意識補完情報ＤＢ３０８の５段階データと入退出管理サーバ１のカードリーダＩＤ情報ＤＢ１０２の入室者全員のＩＤ情報により、制御設定値補正処理２０３に必要な設定値補正データを入室者制御設定値補正情報ＤＢ２０２に格納する。
【００４３】  続いて、制御設定値補正処理２０３にて入室者制御情報設定値補正情報ＤＢ２０２の情報で制御設定値２０４を補正演算し、補正後制御設定値２０５に格納する。
【００４４】  続いて、快適空調制御処理２０６にて、前記補正後制御設定値２０５と、第２の実施形態で格納した補正後着衣量２０Ｇにより、快適空調制御処理２０６に必要な設定値データを空調監視制御情報ＤＢ２０８に格納する。
【００４５】  続いて、空調監視制御処理２０９にて、前記空調監視制御情報ＤＢ２０８から必要な設定値データを空調制御装置２Ａに与え、前記空調制御装置２Ａは外気温、室温、壁温、湿度、日照、風雨などのデータを空調計器・センサ２Ａ２から入力し、前記外気温などの環境情報により、空調設備２Ａ１の制御を行う。
【００４６】  一方、入退出監視サーバ１の環境・省エネ意識高揚表示情報収集処理１０３にて、外気温度、室内温度、室内湿度などの環境情報は、前記中央監視サーバ２の空調監視制御情報ＤＢ２０８から前記入退出管理サーバ１の環境・省エネ情報ＤＢ１０４に格納する。
【００４７】  続いて、電力量、電力量トレンド値などの電力情報は、前記中央監視サーバ２の電力監視制御情報ＤＢ２０Ｃから前記入退出管理サーバ１の環境・省エネ情報ＤＢ１０４に格納する。
【００４８】  続いて、居室者数などの入室者情報、快適性と省エネへの意識などの情報は、前記中央監視サーバ２の入室者制御設定値補正情報ＤＢ２０２から、前記入退出管理サーバ１の環境・省エネ情報ＤＢ１０４に格納する。
【００４９】  さらに、入退出管理サーバ１の環境・省エネ情報表示処理１０５にて、入室者へ環境・省エネ意識の高揚を促す、環境・省エネ表示内容１Ａ１２に記載の外気温度、室内温度、室内湿度、電力量、電力量トレンド値などの内容を、前記環境・省エネ情報ＤＢ１０４の情報から、入退出管理装置１Ａに接続された入退出セキュリティカードリーダ１Ａ１の環境・省エネ意識高揚表示器１Ａ１１に表示し、居室者全員の環境・省エネ意識の高揚が図れ、さらに居住者の快適性を考慮した設備の省エネが実現できる。
【符号の説明】
【００５０】１  入退出管理サーバ
１０１  セキュリティカード入力処理
１０２  カードリーダＩＤ情報ＤＢ
１０３  環境・省エネ意識高揚表示情報収集処理
１０４  環境・省エネ情報ＤＢ
１０５  環境・省エネ情報表示処理
１０６  入室者画像処理
１０７  入出者画像情報ＤＢ
１Ａ  入退出管理装置
１Ａ１  入退出セキュリティカードリーダ
１Ａ１１  環境・省エネ意識高揚表示器
１Ａ１２  環境・省エネ意識高揚表示内容
２  中央監視制御サーバ
２０１  入室者制御設定値補正情報処理
２０２  入室者制御設定値補正情報ＤＢ
２０３  制御設定値補正処理
２０４  制御設定値
２０５  補正後制御設定値
２０６  快適空調制御処理
２０７  着衣量設定値
２０８  空調監視制御情報ＤＢ
２０９  空調監視制御処理
２０Ａ  照明監視制御情報ＤＢ
２０Ｂ  照明監視制御処理
２０Ｃ  電力監視制御情報ＤＢ
２０Ｄ  電力監視制御処理
２０Ｅ  読込着衣量
２０Ｆ  着衣量補正処理
２０Ｇ  補正後着衣量設定値
２Ａ  空調制御装置
２Ａ１  空調設備
２Ａ２  空調設備計器・センサ
２Ｂ  照明制御装置
２Ｂ１  照明設備
２Ｂ２  照明設備計器・センサ
２Ｃ１  受変電設備
２Ｃ２  受変電設備計器・センサ
３  居室者管理サーバ
３０１  居室者個人情報ＤＢ
３０２  居室者個人分析情報ＤＢ
３０３  居室者データ処理
３０４  体型データ
３０５  入室者着衣量演算処理
３０６  入室時カメラ画像
３０７  居室者環境体感情報ＤＢ
３０８  居室者省エネ意識情報ＤＢ
３Ａ  居室者パソコン
３Ａ１  ツイート情報入力内容
３Ｂ  居室者携帯端末
３Ｂ１  アンケート情報入力内容
【図１】
2014231980.tif 000003
【図２】
2014231980.tif 000004
【図３】
2014231980.tif 000005
【図４】
2014231980.tif 000006